(57)【要約】【課題】  使用者がベランダの外壁などを塗装する際、無理な姿勢をとることなく塗装できる塗装用ローラのハンドルの提供。【解決手段】  塗装用ローラのハンドル１は、グリップ２とアーム３とから構成されている。アーム３は、グリップ２の前端部に固定される前方への延出部５と、延出部５の前端部から前方へ行くに従って下方へ角度Ｘで傾斜する傾斜部６と、傾斜部６の前端部から左方へ垂直に延出する差込部７とから構成されている。延出部５は、グリップ２の前端部に固定され前方へ延出する第一軸部８と、第一軸部８の前端部から右前方へ延出する第二軸部９とから構成されている。傾斜部６は、第二軸部９の前端部から下方へ延出しており、第一軸部８と平行に位置している。ここで、角度Ｘは、第一軸部８と第二軸部９とで規定される平面に対する傾斜部６の傾斜角度であり、約４０°としている。【選択図】      図１
0003127971.tif 000002
【実用新案登録請求の範囲】
【請求項１】
前端部に塗装用ローラが取り付けられるアームと、このアームの後端部に設けられるグリップとを備え、
前記アームは、
前記グリップの前端部から前方への延出部と、
前記延出部の前端部から前方へ行くに従って下方へ傾斜する傾斜部と、
前記傾斜部の前端部から前記グリップの軸線と直交するよう左右方向へ延出する、前記ローラへの差込部と
からなることを特徴とする塗装用ローラのハンドル。
【請求項２】
前記傾斜部は、前後方向に対して３０°〜４５°で下方へ傾斜する
ことを特徴とする請求項１に記載の塗装用ローラのハンドル。
【請求項３】
前記アームは、線材を屈曲して形成されており、
前記延出部は、後端部に前記グリップが設けられ、前後方向へ延出する第一軸部と、この第一軸部の前端部から左右いずれか一方へ、前記第一軸部に対し垂直または傾斜して延出する第二軸部とからなり、
前記傾斜部は、前記延出部にて規定される平面に対し、下方へ傾斜して形成されており、
前記差込部は、前記傾斜部の前端部から前記グリップの軸線と直交するよう左右いずれか他方へ延出する
ことを特徴とする請求項１または請求項２に記載の塗装用ローラのハンドル。
【考案の詳細な説明】
【技術分野】
【０００１】
本考案は、差込部にローラが回転可能に保持され、そのローラに塗料を染み込ませて塗装面に押し当てつつ周方向に回転させることにより、壁面や床面などを塗装するのに用いられる塗装用ローラのハンドルに関するものである。
【背景技術】
【０００２】
図７（ａ）は、従来の塗装用ローラのハンドル２１を示す正面図である。図７（ｂ）は、図７（ａ）の左側面図である。従来の塗装用ローラのハンドル２１は、グリップ２２とアーム２３とから構成されている。アーム２３は、グリップ２２の前端部に固定される前方への延出部２４と、この延出部２４の前端部から前方へ延出する支持部２５と、この支持部２５の前端部から左方へ延出する差込部２６とから構成されている。延出部２４は、グリップ２２の前端部に固定され前方へ延出する第一軸部２７と、この第一軸部２７の前端部から右前方へ延出する第二軸部２８とから構成されている。グリップ２２とアーム２３とは、第一軸部２７の後端部がグリップ２２の前端部に固定されることにより取り付けられる。支持部２５は、第二軸部２８の前端部から前方へ延出しており、第一軸部２７と平行に位置している。差込部２６は、支持部２５の前端部から左方へ垂直に延出されている。さらに、差込部２６の左端部は、略円錐状に形成されており、左方へ行くに従って径が小さくなる。ここで、アーム２３は、一体形成されており、一本の棒状の金属を屈曲して形成されている。
【考案の開示】
【考案が解決しようとする課題】
【０００３】
しかしながら、図８に示すように、ローラ２９を取り付けた従来の塗装用ローラのハンドル２１では、たとえば、ベランダ３０の外壁３０ａを塗装する際、外壁３０ａに対する垂直方向の力を与えてローラ２９を外壁３０ａに押し当てた状態を保つために、グリップ２２の軸線と外壁３０ａとの間に、十分大きい角度をつけなければならず、使用者３１は、上半身の大半をベランダ３０の外側に投げ出さなければならなかった。そして、ローラ２９を外壁３０ａに押し当て周方向に回転させるために、使用者３１は、上半身の大半をベランダ３０の外側に投げ出した体勢を保った状態で、外壁３０ａに対する水平方向の力を与えなければならなかった。このように、使用者３１は、塗装場所によっては無理な姿勢をとらなければならない場合があるにもかかわらず、その点について全く考慮されていなかった。
【０００４】
本考案が解決しようとする課題は、使用者がベランダの外壁などを塗装する際、無理な姿勢をとることなく塗装できる塗装用ローラのハンドルを提供することにある。
【課題を解決するための手段】
【０００５】
前記課題を解決するために、本考案の塗装用ローラのハンドルは、前端部に塗装用ローラが取り付けられるアームと、このアームの後端部に設けられるグリップとを備え、前記アームは、前記グリップの前端部から前方への延出部と、前記延出部の前端部から前方へ行くに従って下方へ傾斜する傾斜部と、前記傾斜部の前端部から前記グリップの軸線と直交するよう左右方向へ延出する、前記ローラへの差込部とからなることを特徴とする。
【０００６】
また、本考案は、好ましくは上記構成に加えて、前記傾斜部は、前後方向に対して３０°〜４５°で下方へ傾斜することを特徴とする塗装用ローラのハンドルである。
【０００７】
また、本考案は、好ましくは上記構成に加えて、前記アームは、線材を屈曲して形成されており、前記延出部は、後端部に前記グリップが設けられ、前後方向へ延出する第一軸部と、この第一軸部の前端部から左右いずれか一方へ、前記第一軸部に対し垂直または傾斜して延出する第二軸部とからなり、前記傾斜部は、前記延出部にて規定される平面に対し、下方へ傾斜して形成されており、前記差込部は、前記傾斜部の前端部から前記グリップの軸線と直交するよう左右いずれか他方へ延出することを特徴とする塗装用ローラのハンドルである。
【考案の効果】
【０００８】
本考案によれば、使用者がベランダの外壁などを塗装する際、無理な姿勢をとることなく塗装できる塗装用ローラのハンドルを提供することができる。
【考案を実施するための最良の形態】
【０００９】
以下、本考案の塗装用ローラのハンドルの一実施例について、図面に基づきさらに詳細に説明する。
【００１０】
図１（ａ）は、本考案の塗装用ローラのハンドル１の一実施例を示す正面図である。図１（ｂ）は図１（ａ）の左側面図であり、図１（ｃ）は図１（ａ）の平面図である。図２は、図１（ａ）のＡ−Ａ断面図である。図３は、図１の塗装用ローラのハンドル１の斜視図である。
【００１１】
塗装用ローラのハンドル１は、合成樹脂製のグリップ２と、金属製丸棒材が屈曲形成されたアーム３とから構成されている。グリップ２は、中央が幅広の略四角柱状に形成されており、前端部を残して後方へ開口する中空部が形成されると共に、後端部の内壁にはねじが切られている。さらに、グリップ２の前端部には固定穴４が形成されており、固定穴４の後端側は中空部と連通すると共に、固定穴４の前端側は前方へ開口されている。
【００１２】
アーム３は、グリップ２の前端部に固定される前方への延出部５と、この延出部５の前端部から前方へ行くに従って下方へ傾斜する傾斜部６と、この傾斜部６の前端部から左方へ延出する差込部７とから構成されている。延出部５は、グリップ２の前端部に固定され前方へ延出する第一軸部８と、この第一軸部８の前端部から右前方へ延出する第二軸部９とから構成されている。グリップ２とアーム３とは、第一軸部８の後端部が中空部に達するよう固定穴４に圧入して嵌め込まれることにより固定されている。
【００１３】
傾斜部６は、第二軸部９の前端部から延出しており、第一軸部８と平行に位置し、かつ、前方へ行くに従って角度Ｘで下方へ延出されている。ここで、角度Ｘは、第一軸部８と第二軸部９とで規定される平面に対する傾斜部６の傾斜角度であり、本実施例では約４０°としている。差込部７は、傾斜部６の前端部から左方へ垂直に延出されている。さらに、差込部７の左端部は、略円錐状に形成されており、左方へ行くに従って径が小さくなる。
【００１４】
このような構成であるので、グリップ２および第一軸部８と差込部７とが垂直に配置されると共に、差込部７はグリップ２の下方に位置している。すなわち、差込部７は、延出部５にて規定される平面上に位置しない。
【００１５】
次に、ローラ１０の取り付け構造について説明する。図４は、ローラ１０の取り付け構造を示す概略斜視図であり、一部を断面にして示している。図５は、図１の塗装用ローラのハンドル１にローラ１０を取り付けた状態を示す斜視図である。
【００１６】
ローラ１０は、円筒状に形成されており、中空円筒状に形成された中心軸１０ａに差込部７への取付部材１１が備えられる。取付部材１１は、中心軸１０ａ内に保持される抜止具１２と、中心軸１０ａの右側端部に嵌め込まれる栓１３とから構成されている。中心軸１０ａは、円筒状に形成されており、中央より左方に位置した内周には円板状の仕切部１４が一体形成されている。さらに、仕切部１４の中心には、差込部７が挿通可能な挿通穴１４ａが形成されている。
【００１７】
抜止具１２は、両端が開口した円筒状に形成されており、軸方向に沿って一部が切り欠かれている。さらに、抜止具１２の内径は、差込部７の径よりもやや小さく形成されており、抜止具１２の外径は、挿通穴１４ａの径よりも大きく形成されている。
【００１８】
栓１３は、段付き円筒状に形成されており、鍔部１３ａ、大径部１３ｂおよび小径部１３ｃが一体形成されている。鍔部１３ａは、中心軸１０ａの内径よりも大きな円板状に形成されており、栓１３全体が中心軸１０ａに入り込むことを防いでいる。さらに、鍔部１３ａの中心には差込部７が挿通可能な穴が形成されている。また、大径部１３ｂおよび小径部１３ｃは、差込部７が貫通可能なように両端が開口した円筒状に形成されている。
【００１９】
仕切部１４に形成された挿通穴１４ａの径、鍔部１３ａに形成された穴の径、大径部１３ｂの内径および小径部１３ｃの内径は同じであり、それぞれ同一軸線上に位置している。したがって、中心軸１０ａの右側から抜止具１２が投入された後、栓１３が中心軸１０ａに圧入して固定されることにより、抜止具１２は、中心軸１０ａの内部で仕切部１４と栓１３との間に、中心軸１０ａの長手方向に対して多少の余裕を有して配置されている。
【００２０】
このような構成であるので、差込部７は、鍔部１３ａ側から栓１３、抜止具１２、仕切部１４の順に挿通される。このとき、差込部７は、栓１３および仕切部１４に対しては回転可能であるが、抜止具１２に対しては回転不可能である。抜止具１２の内径は差込部７の径よりも小さく形成されており、差込部７は抜止具１２に圧入して固定される。また、仕切部１４は中心軸１０ａと一体形成されており、栓１３は中心軸１０ａに圧入して固定されている。よって、仕切部１４および栓１３は、中心軸１０ａに対して回転不可能である。したがって、塗装用ローラのハンドル１にローラ１０を回転可能に保持することができる。差込部７の長手方向の長さは、ローラ１０の半径よりも長く形成されているので、ローラ１０は、第二軸部９に接触することなく回転可能である。差込部７の左端部は、略円錐状に形成されており、左方へ行くに従って径が小さくなるので、差込部７にローラ１０を取り付けるのに都合がよい。すなわち、差込部７の左端部が略円錐状であるので、抜止具１２の内径が、仕切部１４に形成された挿通穴１４ａの径、鍔部１３ａに形成された穴の径、大径部１３ｂの内径および小径部１３ｃの内径と同一軸線上に位置しない場合でも、略円錐状でない場合と比較して、容易に圧入することができる。
【００２１】
抜止具１２は、差込部７にのみ固定されている。さらに、差込部７は、仕切部１４および栓１３に対しては回転可能である。さらに、抜止具１２は、仕切部１４と栓１３との間に配置されている。このように構成することにより、ローラ１０が差込部７から抜け落ちることを防止できる。ローラ１０は、差込部７の略円錐部方向に力を与えると抜脱することができ、同じ構成のローラ１０と交換可能である。
【００２２】
図６は、図５のローラ１０を取り付けた塗装用ローラのハンドル１を用いて、ベランダ１５の外壁１５ａを塗装している状態を示す図である。使用者１６は、ローラ１０に塗料を染み込ませ、外壁１５ａに対する垂直方向の力を与えてローラ１０を外壁１５ａに押し当てた状態を保つと共に、外壁１５ａに対する水平方向の力を与えてローラ１０を周方向に回転させることにより、外壁１５ａを塗装することができる。このとき、グリップ２と外壁１５ａとがほぼ平行に位置している場合においても、傾斜部６が、グリップ２に対して下方へ角度Ｘ傾斜していることにより、使用者１６は、上半身を大きく外側に投げ出してグリップ２の軸線と外壁１５ａとの間に角度をつける必要がない。つまり、ローラ１０は延出部５の延長線と外壁１５ａとの間に位置する状態で塗装されるので、グリップ２と外壁１５ａとの間に十分な間隔をとることができる。
【００２３】
角度Ｘは、３０°〜４５°の範囲内であることが好ましい。３０°より小さいと、ローラ１０を外壁１５ａに押し当てる垂直方向の力は、３０°〜４５°の場合と比較して、より強い力が必要である。すなわち、使用者１６は、従来の塗装用ローラのハンドル２１を用いて塗装する場合と同じくらい、ベランダ１５の外側に上半身を投げ出す必要がある。４５°より大きいと、ローラ１０を外壁１５ａに押し当てた状態で周方向に回転させるための外壁１５ａに対する水平方向の力が、所望の一方向に安定しないため、外壁１５ａの塗装面の仕上がりが悪くなる。
【００２４】
また、グリップ２には、前端部を残して中空部が形成されると共に後端部にはねじが切られている。このねじには、一端部にねじ山が形成されている延長部材（不図示）がねじ込められる。このため、幅が狭くて人が容易に入れない場所や、手の届かない高所を塗装することができる。
【００２５】
本考案の塗装用ローラのハンドル１は、上記実施例の構成に限らず適宜変更可能である。たとえば、上記実施例では、第二軸部９は右前方へ延出しているが、左前方へ延出してもよい。この場合、傾斜部６は、上記実施例と同様に、前方へ行くに従い下方へ延出されるが、差込部７は、傾斜部６の前端部から右方へ垂直に延出される。
【００２６】
上記実施例では、グリップ２は合成樹脂製としたが、これに限定されるものではない。さらに、グリップ２の形状も略四角柱に限定されるものではない。また、アーム３は金属製としたが、これに限定されるものではない。さらに、アーム３の断面形状も丸に限定されるものではない。
【図面の簡単な説明】
【００２７】
【図１】本考案の塗装用ローラのハンドルの一実施例を示す図であり、（ａ）は正面図、（ｂ）は左側面図、（ｃ）は平面図である。
【図２】図１（ａ）のＡ−Ａ断面図である。
【図３】図１の塗装用ローラのハンドルの斜視図である。
【図４】図１のハンドルへの塗装用ローラの取り付け構造を示す概略斜視図であり、一部を断面にして示している。
【図５】図１の塗装用ローラのハンドルにローラを取り付けた状態を示す斜視図である。
【図６】図５のローラを取り付けた塗装用ローラのハンドルを用いて、ベランダの外壁を塗装している状態を示す図である。
【図７】従来の塗装用ローラのハンドルの一実施例を示す図であり、（ａ）は正面図、（ｂ）は左側面図である。
【図８】図７の塗装用ローラのハンドルにローラを取り付けて、ベランダの外壁を塗装している状態を示す図である。
【符号の説明】
【００２８】
１  塗装用ローラのハンドル
２  グリップ
３  アーム
５  延出部
６  傾斜部
７  差込部
８  第一軸部
９  第二軸部
１０  ローラ
【図１】
0003127971.tif 000003
【図２】
0003127971.tif 000004
【図３】
0003127971.tif 000005
【図４】
0003127971.tif 000006
【図５】
0003127971.tif 000007
【図６】
0003127971.tif 000008
【図７】
0003127971.tif 000009
【図８】
0003127971.tif 000010